(57)【特許請求の範囲】
【請求項１】
ＤＶＤオーディオ（ＤＶＤ−Ａｕｄｉｏ）に記録されたデータを再生可能なディスク再生装置であって、
ＤＶＤオーディオのデータを再生するデータ再生手段と、表示手段と、前記データ再生手段および前記表示手段を制御する制御手段とを備え、
ＤＶＤオーディオ中のグループを再生する際に、前記制御手段は、
グループに属する１または複数のサブグループのそれぞれのデータを前記データ再生手段に順番に再生させ、各サブグループのデータが再生された後に、当該サブグループがグループ内の最後のサブグループであるか否かを判断し、
当該サブグループがグループ内の最後のサブグループである場合には、当該サブグループの管理データからメニュー表示強制であるか否かを判断し、
メニュー表示強制であるときは、ＤＶＤオーディオの管理データ中のメニューデータに基づいてメニュー画面を作成して前記表示部に表示させ、
メニュー表示強制ではないときは、ＤＶＤオーディオの管理データからメニューデータの有無を判断し、前記メニューデータがあるときは前記メニューデータに基づいてメニュー画面を作成して前記表示部に表示させることを特徴とするディスク再生装置。
【請求項２】
ＤＶＤオーディオ（ＤＶＤ−Ａｕｄｉｏ）に記録されたデータを再生可能なディスク再生装置であって、
ＤＶＤオーディオのデータを再生するデータ再生手段と、表示手段と、前記データ再生手段および前記表示手段を制御する制御手段とを備え、
ＤＶＤオーディオ中のグループを再生する際に、前記制御手段は、
グループに属する１または複数のサブグループのそれぞれのデータを前記データ再生手段に順番に再生させ、各サブグループのデータが再生された後に、当該サブグループがグループ内の最後のサブグループであるか否かの第１の判断を行い、
当該サブグループがグループ内の最後のサブグループである場合には、当該サブグループの管理データからメニュー表示強制であるか否かの第２の判断を行い、メニュー表示強制ではないときでも、メニュー画面を作成して前記表示部に表示させることを特徴とするディスク再生装置。
【請求項３】
請求項２に記載のディスク再生装置において、前記グループが複数のグループからなる場合には、前記第１の判断は、当該サブグループが前記複数のグループの内の最後のグループ内の最後のサブグループであるか否かによることを特徴とするディスク再生装置。
【請求項４】
請求項２または請求項３に記載のディスク再生装置において、前記グループの再生において繰り返し再生が行われる場合には、前記制御手段は、前記第２の判断および前記メニュー画面の表示を行わないことを特徴とするディスク再生装置。
【発明の詳細な説明】
【０００１】
【発明の属する技術分野】
本発明は、ＤＶＤオーディオ（ＤＶＤ−Ａｕｄｉｏ）に記録されたデータを再生可能なディスク再生装置に関するものである。
【０００２】
【従来の技術】
従来、音楽はＣＤに記録されていたが、最近では記録密度の高いＤＶＤにも記録されている。また、ＤＶＤよりも良い音質で音楽を再生することのできるＤＶＤ−Ａｕｄｉｏ（以下、「ＤＶＤオーディオ」という」）も市場に登場している。ＤＶＤオーディオの規格では、一連の複数の曲からなるグループの再生が終了したときに、ＤＶＤオーディオの管理領域に設定されている特定のデータが所定の値であれば、その後にＤＶＤオーディオのメニュー表示をしなければならないとされている。一方、当該データが所定の値でなければ、メニュー表示をするか否かは任意とされている。しかし、従来の再生装置は、一連の複数の曲からなるグループの再生が終了したときに、当該データが所定の値でなければ、メニュー表示をすることなく再生を停止している。また、特許文献１には、カラオケ等の多数の曲が記録されたＤＶＤの１曲の再生が終了した時点で、選曲メニューに飛ばすことが示されている。
【０００３】
【特許文献１】
特開平１１−１６４２５８号公報（要約、段落００７５、段落００８１、図１〜図３）
【０００４】
【発明が解決しようとする課題】
しかしながら、上記従来のものにおいては、一連の複数の曲からなるグループの再生が終了した後に、何も表示されることなく急に音楽が止まることがあるので、何らかの不安感、例えば、誤操作をしたのではないかといったような不安感を視聴者に与えてしまうことがある。また、再生の終了後にメニュー表示がされないので使い勝手が悪いという問題もある。一方、特許文献１のものにおいては、１曲の再生が終了した時点で選曲メニューに飛んでしまうので、一連の複数の曲をゆっくり楽しむことができないという問題がある。
【０００５】
本発明は、上記問題点を解決するものであって、その課題とするところは、ＤＶＤオーディオ（ＤＶＤ−Ａｕｄｉｏ）のグループの再生が終了した後に、可能な限りメニュー表示を行うディスク再生装置を提供することにある。
【０００６】
【課題を解決するための手段】
本発明では、ＤＶＤオーディオ（ＤＶＤ−Ａｕｄｉｏ）のデータを再生可能なディスク再生装置において、ＤＶＤオーディオのデータを再生するデータ再生手段と、表示手段と、データ再生手段および表示手段を制御する制御手段とを備える。ＤＶＤオーディオ中のグループを再生する際に、制御手段は、グループに属する１または複数のサブグループのそれぞれのデータをデータ再生手段に順番に再生させ、各サブグループのデータが再生された後に、当該サブグループがグループ内の最後のサブグループであるか否かを判断する。当該サブグループがグループ内の最後のサブグループである場合には、制御手段は、当該サブグループの管理データからメニュー表示強制であるか否かを判断し、メニュー表示強制であるときは、ＤＶＤオーディオの管理データ中のメニューデータに基づいてメニュー画面を作成して表示部に表示させる。また、メニュー表示強制ではないときは、ＤＶＤオーディオの管理データからメニューデータの有無を判断し、当該メニューデータがあるときは当該メニューデータに基づいてメニュー画面を作成して表示部に表示させる。尚、表示手段はディスク再生装置自体の表示手段またはディスク再生装置に接続された外部の表示手段のいずれであってもよい。
【０００７】
このようにすることで、メニュー画面を表示することが可能である場合には、グループの再生が終了した後にメニュー画面が表示されるので、視聴者に何らかの不安感を与える場合が減少すると共に、操作性も向上する。また、グループに属する最後のサブグループのデータの再生が終了した場合に限ってメニュー画面が表示されるので、グループの再生が途中で途切れることがない。
【０００８】
また、本発明では、ＤＶＤオーディオ（ＤＶＤ−Ａｕｄｉｏ）のデータを再生可能なディスク再生装置において、ＤＶＤオーディオのデータを再生するデータ再生手段と、表示手段と、データ再生手段および表示手段を制御する制御手段とを備える。ＤＶＤオーディオ中のグループを再生する際に、制御手段は、グループに属する１または複数のサブグループのそれぞれのデータをデータ再生手段に順番に再生させ、各サブグループのデータが再生された後に、当該サブグループがグループ内の最後のサブグループであるか否かの第１の判断を行う。当該サブグループがグループ内の最後のサブグループである場合には、制御手段は、当該サブグループの管理データからメニュー表示強制であるか否かの第２の判断を行い、メニュー表示強制ではないときでも、メニュー画面を作成して表示部に表示させる。尚、表示手段はディスク再生装置自体の表示手段またはディスク再生装置に接続された外部の表示手段のいずれであってもよい。
【０００９】
このようにすることで、メニュー画面を表示することが強制されていない場合でも、グループの再生が終了した後にメニュー画面が表示されるので、視聴者に何らかの不安感を与えることがなくなると共に、操作性も向上する。また、グループに属する最後のサブグループのデータの再生が終了した場合に限ってメニュー画面が表示されるので、グループの再生が途中で途切れることがない。
【００１０】
本発明においては、グループが複数のグループからなる場合には、第１の判断は、当該サブグループが複数のグループの内の最後のグループ内の最後のサブグループであるか否かによる。このようにすることで、複数のグループが再生される際には、最後のグループの再生が終了した後にメニュー画面が表示されるので、複数のグループの再生が途中で途切れることがない。
【００１１】
また、本発明においては、グループの再生において繰り返し再生が行われる場合には、制御手段は、第２の判断およびメニュー画面の表示を行わない。これにより、視聴者は途中で妨げられることなく再生を繰り返し楽しむことができる。
【００１２】
【発明の実施の形態】
図１は、本発明に係るディスク再生装置１のブロック図である。このディスク再生装置１は、映像（ビデオ）および／または音声（オーディオ）の記録されたＤＶＤ、ＣＤ、ＶＣＤ（ビデオＣＤ）、ＤＶＤ−Ａｕｄｉｏ（以下、「ＤＶＤオーディオ」という）等の各種の記録媒体であるディスク１０のデータを再生する。
【００１３】
再生部１６は、ディスク１０を戴置して搬入出するためのトレイ、ディスク１０のデータを再生するための再生ヘッド、再生の際にディスク１０を回転させるための回転駆動機構、および再生ヘッドをディスク１０の径方向に移動させる移動機構等から構成される。また、再生部１６にはセンサが設けられており、ＣＰＵ１１からディスク１０の有無、トレイのオープン状態等を調べることができるようになっている。再生部１６で再生されたディスク１０のデータは、再生信号処理部１７で音声データ、映像データごとに復号化され、夫々Ｄ／Ａ変換される。Ｄ／Ａ変換された音声信号は、音声出力装置２１（例えば、オーディオセット、テレビジョン受像機の音声出力部等）に送られる。Ｄ／Ａ変換された映像信号は、ＯＳＤ処理部１８を経由して表示手段である表示装置２２（例えば、モニタ、テレビジョン受像機の表示部）に送られる。
【００１４】
本ディスク再生装置１は、ディスク１０の有無、トレイのオープン状態等を視聴者に知らせるために各種メッセージを表示装置２２に表示するオンスクリーン表示（以下、ＯＳＤという）機能を備えている。メモリー１２から読み出されたＯＳＤのデータは、場合によってはＣＰＵ１１によって部分的に加工され、ＣＰＵ１１を介してＯＳＤ処理部１８に送られ、そこでディスク１０の再生データに重畳されて表示装置２２に送られる。
【００１５】
ＣＰＵ１１には、メモリー１２、操作部１３、および受信部１４が接続されている。メモリー１２には、ディスク再生装置１の動作を制御するためのプログラム、上述のＯＳＤデータ、および各種の制御データ等が格納されている。メモリー１２はＣＰＵ１１の演算作業領域としても使用される。また、本ディスク再生装置１の不図示の前面パネルに設けられた操作部１３には、ディスク１０の再生の開始、再生の一時停止等の基本的な操作を行うための「再生」キー、「一時停止」キー等が備えられている。リモートコントローラ１５には、上記の基本的な操作を行うキー以外にも多数のキー（例えば、「カーソル」キー、「決定」キー、「戻る」キー、「メニュー」キー等）が設けられている。リモートコントローラ１５の各キーの信号は、光信号として受信部１４に送られる。操作部１３またはリモートコントローラ１５のいずれかのキーが押されると、当該キーの種類に応じた処理がＣＰＵ１１によって実行される。
【００１６】
図２は、ＤＶＤオーディオのデータ構造を階層的に示した図である。図２（ａ）は最上位階層を示しており、最上位階層は１つのディスク管理領域と少なくとも１つのグループとから構成される。各グループは番号で特定され、最初のグループの番号は１であり、グループの番号は順番に１つずつ大きくなっていく。図２（ａ）では５つのグループ（グループ＃１〜グループ＃５）が示されている。ここでいうグループとは、複数の曲から構成されるものであって、例えば、それらを歌手別、年代別等のルールでグループ化したものに相当する。
【００１７】
図２（ｂ）は第２階層を示しており、ここではグループ＃１に属する３つのＡＴＴ（ＡＴＴ＃１〜ＡＴＴ＃３、ＡＴＴは「サブグループ」ともいう）が示されている。各ＡＴＴの先頭には管理領域が配される。各ＡＴＴは番号で特定され、ＤＶＤオーディオの最初のＡＴＴの番号は１であり、ＡＴＴの番号は順番に１つずつ大きくなっていく。従って、グループ＃２に属する最初のＡＴＴの番号は４となる。また、各グループは少なくとも１つのＡＴＴを含む。
【００１８】
図２（ｃ）は第３階層を示しており、ここではＡＴＴ＃１〜ＡＴＴ＃３に属する６つのトラック（トラック＃１〜トラック＃６）が示されている。各トラックは番号で特定され、ＤＶＤオーディオの最初のトラックの番号は１であり、トラックの番号は順番に１つずつ大きくなっていく。従って、ＡＴＴ＃４に属する最初のトラックの番号は７となる。また、各ＡＴＴは少なくとも１つのトラックを含む。尚、上記グループとトラックとは視聴者からアクセス可能な単位であり、グループの番号またはトラックの番号を指定して、指定された範囲でＤＶＤオーディオの再生を行うことができる。それに対して、ＡＴＴは１つまたは複数のトラックを管理するための管理単位であって、サブグループ的なものである。
【００１９】
図３は、管理領域に格納されている管理データを示す図である。図３（ａ）はディスク管理領域に格納されている管理データを示す図である。「ＡＴＴ個数」はディスク１０に含まれる全てのＡＴＴの個数であり、ここではＡＴＴの個数をｎ個としている。「ＡＴＴ＃１ポインタ」〜「ＡＴＴ＃ｎポインタ」（以下、「ＡＴＴポインタ」という）は、ディスク１０上のｎ個の各ＡＴＴの先頭アドレスを指すポインタである。「メニューデータポインタ」は、「メニューデータ」が格納されているディスク１０上の先頭アドレスを指すポインタである。尚、「メニューデータ」が存在しない場合には、「メニューデータポインタ」には０が設定されている。「メニューデータ」は、後述のメニュー画面を作成するときに使用されるデータであり、「メニューデータ」の内容に基づいて、メニュー画面の内容・形態が決められる。尚、「メニューデータ」は、データサイズも大きく、可変長のデータであるので、他のデータから離して図示されている。
【００２０】
図３（ｂ）は各ＡＴＴの管理領域に格納されている管理データを示す図である。「オーディオゾーン／ビデオゾーン」は、当該ＡＴＴに属するトラックのデータの種類を示す。その内容が「オーディオゾーン」となっているときは、当該ＡＴＴに属するトラックのデータがＤＶＤオーディオ規格にかかるオーディオデータであることを示す。その内容が「ビデオゾーン」となっているときは、当該ＡＴＴに属するトラックのデータがＤＶＤオーディオ規格にかかるオーディオデータ以外のデータ（例えば、ＤＶＤオーディオの製作会社のロゴの画像、各種の動画、静止画等のデータ）であることを示す。「所属グループ番号」は、当該ＡＴＴが属するグループの番号を示す。例えば、図２に示されるＡＴＴ＃３の「所属グループ番号」には、グループ＃１を示す１が設定されている。「トラック個数」は、当該ＡＴＴに属するトラックの個数を示す。ここではトラックの個数をｍ個としている。「トラック＃１ポインタ」〜「トラック＃ｍポインタ」（以下、「トラックポインタ」という）は、ディスク１０上のｍ個の各トラックの先頭アドレスを指すポインタである。例えば、図２に示されるＡＴＴ＃３の「トラック個数」は２であり、トラック＃１ポインタおよびトラック＃２ポインタは夫々トラック＃５およびトラック＃６の先頭アドレスを指すように設定されている。
【００２１】
「戻りルール」は、各ＡＴＴに属する全てのトラックのデータの再生が終了した後にメニュー表示をするか否かを規定する。その内容は、「メニュー表示強制」または「メニュー表示許容」のいずれかである。上記「メニューデータ」が存在しない場合には、「メニュー表示強制」が設定されることはない。また、グループの最後のＡＴＴ以外のＡＴＴには「メニュー表示許容」のみが設定される。そして、「メニュー表示強制」の場合には、当該ＡＴＴの最後のトラックのデータの再生が終了した後に、メニュー画面を必ず表示しなければならないとされる。また、「メニュー表示許容」の場合には、メニュー画面を表示するか否かは任意とされる。
【００２２】
図４は、ＤＶＤオーディオを再生するためのメニュー画面の一例を示す図である。ＤＶＤオーディオが再生部１６のトレイにセットされている状態でリモートコントローラ１５の「メニュー」キーが押されると、図４（ａ）に示される第１メニュー画面３１が表示装置２２に表示される。図中の斜線部は背景画像である。この第１メニュー画面３１の内容・形態は、「メニューデータ」（図３（ａ）参照）の内容に基づく。つまり、ディスク管理領域から「メニューデータ」の内容が読み出され（再生され）、それがＣＰＵ１１により加工されて、表示装置２２に表示される。尚、「メニューデータポインタ」に０が設定されている場合には、「メニューデータ」は存在しないので、ＣＰＵ１１が同様なメニュー画面をＯＳＤとして表示する。
【００２３】
第１メニュー画面３１において、リモートコントローラ１５の「カーソル」キーが操作されて「プレイリスト」が選択されている状態でリモートコントローラ１５の「決定」キーが押されると、図４（ｂ）に示される第２メニュー画面３２が表示される。尚、第１メニュー画面３１において、リモートコントローラ１５の「戻る」キーが押されると第１メニュー画面３１は消滅する。
【００２４】
第２メニュー画面３２においては、リモートコントローラ１５の「カーソル」キーが操作されることにより、「全グループ」または「グループ＃１」〜「グループ＃５」のいずれかが選択される。ここで、「全グループ」は、全てのグループのデータを再生することを意味する。「グループ＃１」〜「グループ＃５」は、選択（指定）されたグループのデータのみを再生することを意味する。いずれかが選択された状態でリモートコントローラ１５の「決定」キーが押されると、図４（ｃ）に示される第３メニュー画面３３が表示される。尚、第２メニュー画面３２において、リモートコントローラ１５の「戻る」キーが押されると第１メニュー画面３１に戻る。
【００２５】
第３メニュー画面３３においては、リモートコントローラ１５の「カーソル」キーが操作されることにより、「リピートする」または「リピートしない」のいずれかが選択される。リピートとは、第２メニュー画面３２において選択された再生対象のデータの再生が終了した後に再生対象のデータを繰り返して再生することをいう。いずれかが選択された状態でリモートコントローラ１５の「決定」キーが押されると、本発明にかかるＤＶＤオーディオの再生のプログラムの実行が開始される。プログラムの実行については後述する。尚、第３メニュー画面３３において、リモートコントローラ１５の「戻る」キーが押されると第２メニュー画面３２に戻る。
【００２６】
図５は、指定されたグループの再生を行うときの動作を示すフローチャートである。このプログラムは、図４（ｂ）に示される「グループ＃１」〜「グループ＃５」のいずれかが選択されていた場合に起動され、指定されたグループの番号とリピートをするか否かのデータとが引数として呼び出し元から渡される。まず、指定されたグループの番号から当該グループに属する最初のＡＴＴの番号を求め、これを現在のＡＴＴの番号とする（Ｓ１）。この現在のＡＴＴの番号はメモリー１２に記憶される。上記の演算は以下のように行われる。ＡＴＴ＃１ポインタ（図３（ａ）参照）から順番に各ＡＴＴポインタで指されるＡＴＴの管理領域に格納されている「所属グループ番号」（図３（ｂ）参照）に設定されている値を得る。この値と指定されたグループの番号とを比較し、最初に一致したときのＡＴＴの番号を指定されたグループに属する最初のＡＴＴの番号とする。
【００２７】
次に、現在のＡＴＴに属するトラックのデータを再生する（Ｓ２）。現在のＡＴＴに属するトラックのデータの再生を行う際には、「トラックの個数」および「トラックポインタ」（図３（ｂ）参照）が使用される。これにより、現在のＡＴＴに属する最初のトラックから最後のトラックまでの各トラックの先頭アドレスが得られ、当該アドレスから順次データの再生が行われる。このとき、再生されているグループの番号およびトラックの番号をＯＳＤとして表示装置２２に表示するようにしてもよい。
【００２８】
次に、現在のＡＴＴが指定されたグループ内の最後のＡＴＴであるか否かが判断される（Ｓ３）。この判断は以下のように行われる。現在のＡＴＴの番号が「ＡＴＴ個数」（図３（ａ）参照）の値に等しければ、現在のＡＴＴがグループ内の最後のＡＴＴであると判断する。そうではない場合、現在のＡＴＴの次のＡＴＴの「所属グループ番号」の値が指定されたグループの番号と異なれば、現在のＡＴＴがグループ内の最後のＡＴＴであると判断する。それ以外の場合は、現在のＡＴＴはグループ内の最後のＡＴＴではないと判断する。
【００２９】
Ｓ３で現在のＡＴＴがグループ内の最後のＡＴＴではないと判断された場合は、現在のＡＴＴの番号を１つ増やして（Ｓ４）、Ｓ２に戻る。これにより、指定されたグループに属する次のＡＴＴに属するトラックの再生が行われることになる。Ｓ３で現在のＡＴＴがグループ内の最後のＡＴＴであると判断された場合は、指定されたグループの再生は終了しているので、呼び出し元から渡された引数を調べることにより、リピート（繰り返し再生）を行うか否かが判断され（Ｓ５）、リピートを行う場合はＳ１に戻る。これにより、指定されたグループに属する最初のＡＴＴに属するトラックからの再生が繰り返される。
【００３０】
リピートを行わない場合は、現在のＡＴＴ（グループ内の最後のＡＴＴでもある）の「戻りルール」（図３（ｂ）参照）の内容が「メニュー表示強制」であるか否かが判断され（Ｓ６）、「メニュー表示強制」である場合は、再生動作を停止して（Ｓ７）、メニュー画面（具体的には、「メニューデータ」に基づいて作成された第１メニュー画面３１）を表示して（Ｓ８）、呼び出し元に戻る。「メニュー表示強制」ではない（「メニュー表示許容」である）場合は、「メニューデータポインタ」（図３（ａ）参照）の内容が０であるか否かを調べることにより、「メニューデータ」（図３（ａ）参照）が存在するか否かが判断される（Ｓ９）。「メニューデータ」が存在する場合は、Ｓ７に進む。存在しない場合は、再生動作を停止して（Ｓ１０）、呼び出し元に戻る。尚、図５では再生動作中に「一時停止」キー等が押されたときの動作の図示は省略されているが、例えば、「一時停止」キーが押された場合には、再生動作が一時的に停止されるのは勿論である。この点は次の図６でも同様である。
【００３１】
上記の場合において、「戻りルール」の内容が「メニュー表示許容」である場合でも、「メニューデータ」が存在するか否かを判断して、存在する場合にはメニュー表示を行っているので、視聴者に不安感を与える場合が減少すると共に、操作性も向上する。また、「メニューデータ」が存在するか否かの判断を全てのＡＴＴにおいてするのではなく、指定されたグループ内の最後のＡＴＴについてだけ判断しているので、指定されたグループの再生が途中で途切れることがない。また、リピートが選択されている場合には、メニュー表示に移らないようにしているので、グループのデータの再生が繰り返し行われる。
【００３２】
図６は、全グループのデータの再生を行うときの動作を示すフローチャートである。このプログラムは、図４（ｂ）に示される「全グループ」が選択されていた場合に起動され、リピートをするか否かのデータが引数として呼び出し元から渡される。まず、メモリー１２に現在のＡＴＴ番号を記憶する領域を確保し、そこに１を設定する。つまり、現在のＡＴＴの番号を１に設定する（Ｓ２１）。次に、現在のＡＴＴに属するトラックのデータを再生する（Ｓ２２）。
【００３３】
次に、「ＡＴＴ個数」（図３（ａ）参照）の内容と現在のＡＴＴの番号とを比較することにより、現在のＡＴＴが最後のＡＴＴであるか否かが判断される（Ｓ２３）。最後のＡＴＴではないと判断された場合は、現在のＡＴＴの番号を１つ増やして（Ｓ２４）、Ｓ２２に戻る。これにより、次の番号のＡＴＴの再生が行われる。最後のＡＴＴであると判断された場合は、呼び出し元から渡された引数を調べることにより、リピート（繰り返し再生）を行うか否かが判断され（Ｓ２５）、リピートを行う場合はＳ２１に戻る。これにより、番号１のＡＴＴからの再生が繰り返される。リピートを行わない場合は、Ｓ２６〜Ｓ３０が実行された後に呼び出し元に戻る。Ｓ２６〜Ｓ３０は図５のＳ６〜Ｓ１０と同じであるので、説明を省略する。
【００３４】
上記の場合において、「メニューデータ」が存在するか否かの判断を全てのＡＴＴにおいてするのではなく、ディスク１０の最後のＡＴＴ（別の表現をすれば、複数のグループの内の最後のグループ内の最後のＡＴＴ）についてだけ判断しているので、全てのグループの再生が途中で途切れることがない。また、リピートが選択されている場合には、メニュー表示に移らないようにしているので、全てのグループのデータの再生が繰り返し行われる。
【００３５】
以上述べた実施形態においては、ディスク再生装置１が再生専用機である場合について説明したが、本発明はディスクに対して記録と再生の両方が行える装置や、ディスク装置一体型テレビジョン受像機等にも適用することができる。また、上記実施形態では、ＤＶＤオーディオについて説明したが、ＤＶＤオーディオと同様なデータ構造の記録媒体にも本発明を適用することができる。
【００３６】
さらに、上記実施形態では、グループの再生が終了した後にメニュー表示としてディスク管理領域に記録されている「メニューデータ」に基づいて作成された第１メニュー画面３１を表示する場合について説明したが、別のメニュー画面、例えば、第２メニュー画面３２に相当するものを表示するようにしてもよい。
【００３７】
【発明の効果】
本発明によれば、ＤＶＤオーディオ（ＤＶＤ−Ａｕｄｉｏ）のグループの再生が終了した後に、可能な限りメニュー表示が行われるので、視聴者に不安感を与える場合が減少すると共に、操作性も向上する。
【図面の簡単な説明】
【図１】本発明に係るディスク再生装置のブロック図である。
【図２】ＤＶＤオーディオのデータ構造を階層的に示した図である。
【図３】管理領域に格納されている管理データを示す図である。
【図４】ＤＶＤオーディオを再生するためのメニュー画面の一例を示す図である。
【図５】指定されたグループの再生を行うときの動作を示すフローチャートである。
【図６】全グループの再生を行うときの動作を示すフローチャートである。
【符号の説明】
１    ディスク再生装置
１０  ディスク
１１  ＣＰＵ（制御手段）
１６  再生部（データ再生手段）
１７  再生信号処理部（データ再生手段）
２１  音声出力装置
２２  表示装置（表示手段）
３１  第１メニュー画面
３２  第２メニュー画面
３３  第３メニュー画面
【図１】
0003714424.tif 000002
【図２】
0003714424.tif 000003
【図３】
0003714424.tif 000004
【図４】
0003714424.tif 000005
【図５】
0003714424.tif 000006
【図６】
0003714424.tif 000007